(57)【要約】【課題】テレビ番組やＣＭに関する付随情報を必要としている視聴者に適切に提示可能とする。【解決手段】携帯通信端末６は、テレビ放送受信装置５との間で通信を開始するか否かを判別するための判別情報をＲＡＭ６−９の判別情報格納部６−９−１に記憶しておく。携帯通信端末６は、現在の状況と上記判別情報とに基づいて、テレビ放送受信装置５との間で通信を開始し、テレビ放送受信装置５が受信しているテレビ放送に関するテレビ情報の送信要求を送信する。携帯通信端末６は、テレビ放送受信装置５から受信したテレビ情報に従って、データ放送を受信して提示したり、テレビ情報に関するデータをデータ放送用サーバ４から受信して提示したり、該データに従って、該ｗｅｂ用サーバ１０が提供するテレビ放送などに関するｗｅｂサイト情報を取得したりする。【選択図】図１
2008035057.tif 000002
【特許請求の範囲】
【請求項１】
テレビ放送受信装置と、テレビ放送に関するデータが蓄積されているサービス提供装置のそれぞれと通信可能な携帯通信端末であって、
前記テレビ放送受信装置から送信されたテレビ放送に関するテレビ情報を受信するテレビ情報受信手段と、
前記受信したテレビ情報を前記サービス提供装置に送信するテレビ情報送信手段と、
前記サービス提供装置から送信されるデータを受信するデータ受信手段と、
前記受信したデータを提示するデータ提示手段と
を具備することを特徴とする携帯通信端末。
【請求項２】
テレビ放送受信装置と通信可能な携帯通信端末であって、
前記テレビ放送受信装置から送信されたテレビ放送に関するテレビ情報を受信するテレビ情報受信手段と、
前記受信したテレビ情報に基づいたテレビ放送のデータ放送を受信するデータ放送受信手段と、
前記受信したデータ放送を提示するデータ放送提示手段と
を具備することを特徴とする携帯通信端末。
【請求項３】
前記テレビ放送受信装置との間で通信を開始するか否かを判別するための判別情報を記憶する判別情報記憶手段と、
現在の状況を取得する現在状況取得手段と、
前記現在状況取得手段により取得された現在の状況と、前記判別情報記憶手段に記憶されている判別情報とに基づいて、前記テレビ放送受信装置との間で通信を開始するか否かを判別する判別手段と、
前記判別手段により通信を開始すると判別された際に、受信しているテレビ放送に関するテレビ情報の送信要求を前記テレビ放送受信装置に送信する送信要求手段とを具備し、
前記テレビ情報受信手段は、前記送信した送信要求に応じて前記テレビ放送受信装置から送信されたテレビ情報を受信することを特徴とする請求項１または２に記載の携帯通信端末。
【請求項４】
前記判別情報記憶手段は、前記判別情報に対応付けてテレビ放送受信装置の識別情報をさらに記憶しておき、
前記送信要求手段は、前記判別手段により通信を開始すると判別された際に、テレビ情報の送信要求を前記判別情報と対応付けて記憶している識別情報が示すテレビ放送受信装置に送信することを特徴とする請求項３記載の携帯通信端末。
【請求項５】
前記判別情報記憶手段は、前記判別情報として、時刻情報を記憶し、
前記現在状況取得手段は、現在の状況として、現在時刻を取得し、
前記判別手段は、取得した現在時刻と記憶している時刻情報とに基づいて、前記テレビ放送受信装置との間で通信を開始するか否かを判別することを特徴とする請求項３記載の携帯通信端末。
【請求項６】
前記判別情報記憶手段は、前記判別情報として、前記テレビ放送受信装置の識別情報を記憶し、
前記現在状況取得手段は、現在の状況として、前記記憶されている識別情報が示すテレビ放送受信装置が通信可能な位置に存在するか否かの状況を取得し、
前記判別手段は、取得した状況と記憶している識別情報とに基づいて、前記テレビ放送受信装置との間で通信を開始するか否かを判別することを特徴とする請求項３記載の携帯通信端末。
【請求項７】
前記判別手段により、前記テレビ放送受信装置との間で通信を開始すると判別された際に、前記テレビ放送受信装置の電源をオンする制御信号を送信する制御信号送信手段をさらに具備することを特徴とする請求項３記載の携帯通信端末。
【請求項８】
前記判別手段により、前記テレビ放送受信装置との間で通信を開始すると判別された際に、送信要求を送信すべきテレビ放送受信装置が通信可能な位置に存在するか否かを検出する検出手段と、
前記検出手段によりテレビ放送受信装置が検出されない場合、前記テレビ放送受信装置が通信可能な位置に存在するか否かを定期的に検出する定期検出手段とをさらに具備し、
前記送信要求手段は、前記定期検出手段により前記テレビ放送受信装置が検出された場合には、送信要求を前記テレビ放送受信装置に送信することを特徴とする請求項３記載の携帯通信端末。
【請求項９】
前記テレビ放送受信装置から前記テレビ情報受信手段によりテレビ情報を受信した際に、前記テレビ放送受信装置のデータ放送の提示を停止する制御信号を送信するデータ放送停止信号送信手段をさらに具備することを特徴とする請求項１または２に記載の携帯通信端末。
【請求項１０】
前記テレビ放送受信装置が通信可能な位置に存在するか否かを検出する検出手段と、
前記検出手段により前記テレビ放送受信装置が検出された場合には、送信要求を前記テレビ放送受信装置に送信する送信要求手段とをさらに具備し、
前記テレビ情報受信手段は、前記送信した送信要求に応じて前記テレビ放送受信装置から送信されたテレビ情報を受信することを特徴とする請求項１または２に記載の携帯通信端末。
【請求項１１】
前記検出手段は、データ出力機能の動作が開始された際に、前記テレビ放送受信装置が通信可能な位置に存在するか否かを検出することを特徴とする請求項１０記載の携帯通信端末。
【請求項１２】
前記検出手段は、データ放送視聴機能の動作が開始された際に、前記テレビ放送受信装置が通信可能な位置に存在するか否かを検出することを特徴とする請求項１０記載の携帯通信端末。
【請求項１３】
前記検出手段は、充電台から外された際に、前記テレビ放送受信装置が通信可能な位置に存在するか否かを検出することを特徴とする請求項１０記載の携帯通信端末。
【請求項１４】
前記検出手段は、自身の電源がオンされた際に、前記テレビ放送受信装置が通信可能な位置に存在するか否かを検出することを特徴とする請求項１０記載の携帯通信端末。
【請求項１５】
テレビ放送受信装置と、テレビ放送に関するデータが蓄積されているサービス提供装置のそれぞれと通信可能な携帯通信端末におけるコンピュータに、
前記テレビ放送受信装置から送信されたテレビ放送に関するテレビ情報を受信するテレビ情報受信機能、
前記受信したテレビ情報を前記サービス提供装置に送信するテレビ情報送信機能、
前記サービス提供装置から送信されるデータを受信するデータ受信機能、
前記受信したデータを提示するデータ提示機能
を実現させることを特徴とするプログラム。
【請求項１６】
テレビ放送受信装置と通信可能な携帯通信端末におけるコンピュータに、
前記テレビ放送受信装置から送信されたテレビ放送に関するテレビ情報を受信するテレビ情報受信機能、
前記受信したテレビ情報に基づいたテレビ放送のデータ放送を受信するデータ放送受信機能、
前記受信したデータ放送を提示するデータ放送提示機能
を実現させることを特徴とするプログラム。
【発明の詳細な説明】
【技術分野】
【０００１】
本発明は、携帯通信端末及びプログラムに関する。
【背景技術】
【０００２】
テレビのデータ放送では、視聴中のテレビ番組やＣＭに関連する情報、さらに詳しい情報を蓄積しているＷＥＢサイトのアドレス情報などのテレビ情報を、テレビ番組やＣＭの映像に重ねて表示したり、テレビ画面の特定の領域に表示したりしている（例えば、特許文献１参照）。また、データ放送が不要な視聴者のために、データ放送を非表示にする機能がある。
【０００３】
【特許文献１】特開平０９−２３３４３９号公報
【発明の開示】
【発明が解決しようとする課題】
【０００４】
しかしながら、上記従来技術では、据え置き型のテレビを家族で視聴しているような場合、データ放送の必要性は人それぞれで異なる。このため、データ放送を表示していると、不要な人のテレビ視聴の邪魔になり、データ放送を非表示にしていると、必要な人が見ることができないという問題があった。
【０００５】
そこで、本発明は、テレビ放送における、テレビ番組やＣＭに関する付随情報などのテレビ情報を、それを不要としている人のテレビ視聴を邪魔せずに、それを必要としている視聴者に提示することができる携帯通信端末、テレビ放送データ提示プログラム及びデータ放送提示プログラムを提供することを目的とする。
【課題を解決するための手段】
【０００６】
上記目的達成のため、請求項１、１５記載の発明は、テレビ放送受信装置から送信されたテレビ放送に関するテレビ情報を受信し、受信したテレビ情報をサービス提供装置に送信し、該サービス提供装置から送信されるデータを受信して提示することを特徴とする。
【０００７】
上記目的達成のため、請求項２、１６記載の発明は、テレビ放送受信装置から送信されたテレビ放送に関するテレビ情報を受信し、受信したテレビ情報に基づいたテレビ放送のデータ放送を受信して提示することを特徴とする。
【０００８】
また、好ましい態様として、例えば請求項３記載のように、請求項１または２に記載の携帯通信端末において、前記テレビ放送受信装置との間で通信を開始するか否かを判別するための判別情報を記憶する判別情報記憶手段と、現在の状況を取得する現在状況取得手段と、前記現在状況取得手段により取得された現在の状況と、前記判別情報記憶手段に記憶されている判別情報とに基づいて、前記テレビ放送受信装置との間で通信を開始するか否かを判別する判別手段と、前記判別手段により通信を開始すると判別された際に、受信しているテレビ放送に関するテレビ情報の送信要求を前記テレビ放送受信装置に送信する送信要求手段とを具備し、前記テレビ情報受信手段は、前記送信した送信要求に応じて前記テレビ放送受信装置から送信されたテレビ情報を受信するようにしてもよい。
【０００９】
また、好ましい態様として、例えば請求項４記載のように、請求項３記載の携帯通信端末において、前記判別情報記憶手段は、前記判別情報に対応付けてテレビ放送受信装置の識別情報をさらに記憶しておき、前記送信要求手段は、前記判別手段により通信を開始すると判別された際に、テレビ情報の送信要求を前記判別情報と対応付けて記憶している識別情報が示すテレビ放送受信装置に送信するようにしてもよい。
【００１０】
また、好ましい態様として、例えば請求項５記載のように、請求項３記載の携帯通信端末において、前記判別情報記憶手段は、前記判別情報として、時刻情報を記憶し、前記現在状況取得手段は、現在の状況として、現在時刻を取得し、前記判別手段は、取得した現在時刻と記憶している時刻情報とに基づいて、前記テレビ放送受信装置との間で通信を開始するか否かを判別するようにしてもよい。
【００１１】
また、好ましい態様として、例えば請求項６記載のように、請求項３記載の携帯通信端末において、前記判別情報記憶手段は、前記判別情報として、前記テレビ放送受信装置の識別情報を記憶し、前記現在状況取得手段は、現在の状況として、前記記憶されている識別情報が示すテレビ放送受信装置が通信可能な位置に存在するか否かの状況を取得し、前記判別手段は、取得した状況と記憶している識別情報とに基づいて、前記テレビ放送受信装置との間で通信を開始するか否かを判別するようにしてもよい。
【００１２】
また、好ましい態様として、例えば請求項７記載のように、請求項３記載の携帯通信端末において、前記判別手段により、前記テレビ放送受信装置との間で通信を開始すると判別された際に、前記テレビ放送受信装置の電源をオンする制御信号を送信する制御信号送信手段をさらに具備するようにしてもよい。
【００１３】
また、好ましい態様として、例えば請求項８記載のように、請求項３記載の携帯通信端末において、前記判別手段により、前記テレビ放送受信装置との間で通信を開始すると判別された際に、送信要求を送信すべきテレビ放送受信装置が通信可能な位置に存在するか否かを検出する検出手段と、前記検出手段によりテレビ放送受信装置が検出されない場合、前記テレビ放送受信装置が通信可能な位置に存在するか否かを定期的に検出する定期検出手段とをさらに具備し、前記送信要求手段は、前記定期検出手段により前記テレビ放送受信装置が検出された場合には、送信要求を前記テレビ放送受信装置に送信するようにしてもよい。
【００１４】
また、好ましい態様として、例えば請求項９記載のように、請求項１または２に記載の携帯通信端末において、前記テレビ放送受信装置から前記テレビ情報受信手段によりテレビ情報を受信した際に、前記テレビ放送受信装置のデータ放送の提示を停止する制御信号を送信するデータ放送停止信号送信手段をさらに具備するようにしてもよい。
【００１５】
また、好ましい態様として、例えば請求項１０記載のように、請求項１または２に記載の携帯通信端末において、前記テレビ放送受信装置が通信可能な位置に存在するか否かを検出する検出手段と、前記検出手段により前記テレビ放送受信装置が検出された場合には、送信要求を前記テレビ放送受信装置に送信する送信要求手段とをさらに具備し、前記テレビ情報受信手段は、前記送信した送信要求に応じて前記テレビ放送受信装置から送信されたテレビ情報を受信するようにしてもよい。
【００１６】
また、好ましい態様として、例えば請求項１１記載のように、請求項１０記載の携帯通信端末において、前記検出手段は、データ出力機能の動作が開始された際に、前記テレビ放送受信装置が通信可能な位置に存在するか否かを検出するようにしてもよい。
【００１７】
また、好ましい態様として、例えば請求項１２記載のように、請求項１０記載の携帯通信端末において、前記検出手段は、データ放送視聴機能の動作が開始された際に、前記テレビ放送受信装置が通信可能な位置に存在するか否かを検出するようにしてもよい。
【００１８】
また、好ましい態様として、例えば請求項１３記載のように、請求項１０記載の携帯通信端末において、前記検出手段は、充電台から外された際に、前記テレビ放送受信装置が通信可能な位置に存在するか否かを検出するようにしてもよい。
【００１９】
また、好ましい態様として、例えば請求項１４記載のように、請求項１０記載の携帯通信端末において、前記検出手段は、自身の電源がオンされた際に、前記テレビ放送受信装置が通信可能な位置に存在するか否かを検出するようにしてもよい。
【発明の効果】
【００２０】
この発明によれば、テレビ放送受信装置テレビ放送における、テレビ番組やＣＭに関する付随情報などのテレビ情報を、それを不要としている人のテレビ視聴を邪魔せずに、それを必要としている視聴者に提示することができるという利点が得られる。
【発明を実施するための最良の形態】
【００２１】
以下、本発明の実施の形態を、図面を参照して説明する。
【００２２】
Ａ．実施形態の構成
図１は、本発明の実施形態によるテレビ放送受信装置および携帯通信端末からなるシステム構成を示すブロック図である。図において、テレビ局１は、所定のスケジュールに従ってテレビ番組やＣＭを送信局２から地上波デジタル放送（１セグ放送を含む）の放送信号で送信する。該テレビ局１は、ネットワーク３に接続されており、ネットワーク３上のデータ放送用サーバ４に蓄積されている、テレビ放送に関するテレビ情報（視聴中のテレビ番組やＣＭに関連する情報）を、テレビ番組やＣＭの放送信号に重畳させて送信する。データ放送用サーバ４は、上記テレビ情報に加えて、テレビ放送やＣＭに関する、さらに詳しい情報を蓄積しているｗｅｂ用サーバ１０が提供するＷＥＢサイトのアドレス情報などのデータも蓄積している。テレビ放送受信装置５は、送信局２から送信される地上波デジタル放送の放送信号を受信してユーザに提示する。
【００２３】
また、携帯通信端末６は、例えば、携帯電話などからなり、地上波デジタル放送（１セグ放送）の放送信号を受信してユーザに提示する。また、携帯通信端末６は、基地局７、７を介して交換機８に接続し、該交換機８を介して携帯無線通信網９に接続して他の携帯通信端末との間で音声通信またはデータ通信を行う。また、携帯通信端末６は、テレビ放送受信装置５から所定のタイミングでテレビ情報を受信し、該携帯無線通信網９を介してネットワーク３に接続し、該テレビ情報に従ってデータ放送やデータをデータ放送用サーバ４から受信して提示するとともに、受信した上記データに従ってｗｅｂ用サーバ１０にアクセスして、該ｗｅｂ用サーバ１０が提供するテレビ放送などに関するｗｅｂサイト情報を取得して閲覧することが可能となっている。
【００２４】
テレビ放送受信装置５と携帯通信端末６は、赤外線通信（あるいは、無線ＬＡＮなど）により情報を送受信可能となっており、テレビ放送、テレビ放送に関わるテレビ情報などを赤外線通信により送受信するようになっている。
【００２５】
次に、図２は、本実施形態によるテレビ放送受信装置５の構成を示すブロック図である。図において、テレビ放送受信装置５は、テレビ放送受信部５−１、赤外線通信送受信部５−２、音声信号処理部５−３、表示部５−４、操作部５−５、ＲＴＣ５−６、ＲＯＭ５−７、ＲＡＭ５−８および中央制御部５−９からなる。テレビ放送受信部５−１は、送信局２から送信される地上波デジタル放送の放送信号を受信する。赤外線通信送受信部５−２は、赤外線により携帯通信端末６と通信して所定の情報を送受信する。
【００２６】
音声信号処理部５−３は、テレビ放送の音声信号を音声出力する。表示部５−４は、テレビ放送の映像やテレビ情報、データ放送などを表示する。操作部５−５は、チャネル操作、音量操作などのテレビ放送視聴に係る各種操作を行う。ＲＴＣ５−６は、実時間を計時する。ＲＯＭ５−７は、所定のプログラムや各種パラメータなどを記憶する。ＲＡＭ５−８は、各種データを記憶する。
【００２７】
中央制御部５−９は、上述したＲＯＭ５−７に記憶されている、所定のプログラムに従って各部を制御する。特に、本実施形態では、中央制御部５−９は、電源オンにされるか、携帯通信端末６からの電源オン信号に従って電源オンになると、携帯通信端末６からのテレビ情報の送信要求を受信し、該送信要求に従って受信しているテレビ情報を携帯通信端末６に送信する。また、中央制御部５−９は、携帯通信端末６からのデータ放送非表示信号を受信すると、テレビ放送に関するデータ放送を非表示とする制御を行う。
【００２８】
次に、図３は、本実施形態による携帯通信端末６の構成を示すブロック図である。図において、携帯通信端末６は、携帯無線通信送受信部６−１、テレビ放送受信部６−２、赤外線通信送受信部６−３、音声信号処理部６−４、表示部６−５、操作部６−６、ＲＴＣ６−７、ＲＯＭ６−８およびＲＡＭ６−９、充電台接続部６−１０、中央制御部６−１１からなる。携帯無線通信送受信部６−１は、基地局７を介して交換機８に接続し、該交換機８を介して携帯無線通信網９に接続して他の携帯通信端末との間で音声通信またはデータ通信を行う。また、携帯無線通信送受信部６−１は、携帯無線通信網９を介してネットワーク３に接続して、データ放送用サーバ４からテレビ放送に関わるデータを取得するとともに、データ放送用サーバ４から取得したデータ（ＵＲＬ）に従ってｗｅｂ用サーバ１０にアクセスし、該ｗｅｂ用サーバ１０が提供するｗｅｂサイト情報を閲覧する。
【００２９】
テレビ放送受信部６−２は、送信局２から送信される地上波デジタル放送（１セグ）の放送信号を受信する。赤外線通信送受信部６−３は、赤外線によりテレビ放送受信装置５と通信して所定の情報を送受信する。音声信号処理部６−４は、マイクからの音声を取り込み、デジタル信号に変換して中央制御部６−１１に供給する一方、音声信号をアナログ信号に変換してスピーカから出力する。表示部６−５は、液晶表示器などからなり、各種メッセージや、テレビ放送の映像などを表示する。操作部６−６は、各種データ、動作指示などを入力する。
【００３０】
ＲＴＣ６−７は、実時間を計時する。ＲＯＭ６−８は、所定のプログラムや各種パラメータなどを記憶する。ＲＡＭ６−９は、各種データを記憶する。特に、本実施形態では、ＲＡＭ６−９は、判別情報格納部６−９−１を備えている。判別情報格納部６−９−１は、判別情報を格納する。充電台接続部６−１０は、当該携帯通信端末６に充電を行うために設置される充電台と電気的に接続するとともに、該充電台への着脱を検出する。
【００３１】
中央制御部６−１１は、上述したＲＯＭ６−８に記憶されている、所定のプログラムに従って各部を制御する。特に、本実施形態では、中央制御部６−１１は、テレビ放送受信装置５との間で通信を開始するか否かを判別するための判別情報を登録したり、該判別情報に従って所定のテレビ放送受信装置５にテレビ情報の要求信号を送信したり、テレビ放送受信装置５からのテレビ情報を受信してユーザに視聴可能に出力したりする。
【００３２】
次に、図４は、携帯通信端末６のＲＡＭ６−９に設けられた判別情報格納部６−９−１に記憶されている判別情報を示す概念図である。図において、判別情報格納部６−９−１には、情報を識別する情報ＩＤ毎に、判別情報、テレビＩＤ、定期検出フラグが格納されている。判別情報は、テレビ放送受信装置５との間で通信を開始する際の条件が記述された情報であり、情報を判別するための情報として、時刻、テレビＩＤからなる。時刻は、受信しているテレビ放送のテレビ情報をテレビ放送受信装置５に要求するタイミング、すなわち、送信要求の送信時刻を示す情報である。テレビＩＤは、テレビ情報を受信すべきテレビ放送受信装置５を識別するための情報である。
【００３３】
また、テレビＩＤは、テレビ情報を要求すべきテレビ放送受信装置５を識別するための情報である。定期検出フラグは、判別情報を定期的にチェックするか否かを示すフラグである。判別情報として、テレビ放送受信装置５のテレビＩＤを指定した場合や、テレビ情報を要求する際に、要求すべきテレビ放送受信装置５が存在しない場合にオンに設定される。該定期検出フラグがオンの場合には、携帯通信端末６におけるメインルーチンで、定期検出フラグがオンになっている判別情報が示すテレビＩＤのテレビ放送受信装置５と通信可能か否かが定期的にチェックされ、通信可能な場合に、該当するテレビ放送受信装置５にテレビ情報の送信が要求されることになる。
【００３４】
図示の例では、情報ＩＤ「０１」の場合には、「月曜日の２１：００になったら、テレビＩＤがＸＸＸのテレビ放送受信装置にテレビ情報の送信要求を送信する」ということを意味し、情報ＩＤ「０２」の場合には、「毎日、２３：００になったら、テレビＩＤがＸＸＸ、ＹＹＹのテレビ放送受信装置にテレビ情報の送信要求を送信する」、情報ＩＤ「０３」の場合には、「テレビＩＤがＺＺＺのテレビ放送受信装置が通信可能になったら、テレビ情報の送信要求を送信する」ということを意味する。
【００３５】
Ｂ．実施形態の動作
次に、上述した実施形態の動作について説明する。ここで、図５は、本実施形態による携帯通信端末６の動作を説明するためのフローチャート（メインルーチン）である。
【００３６】
携帯通信端末６では、まず、電源オンの操作があったか否かを判断し（ステップＳ１０）、電源オンの操作があると、電源をオンにする（ステップＳ１２）。次に、判別情報の定期検出フラグがオンであるか否かを判断し（ステップＳ１４）、定期検出フラグがオンである場合には、通信処理Ａを実行し（ステップＳ１６）、定期検出フラグがオンでない場合には、次のステップＳ１８へ進む。
【００３７】
通信処理Ａでは、定期検出フラグがオンになっているテレビ放送受信装置５にテレビ情報の送信要求を送信し、受信したテレビ情報に従ってデータ放送を受信する一方、テレビ情報の送信要求を送信すべきテレビ放送受信装置５が通信可能でない場合には、テレビ放送受信装置５の電源を強制的にオンにすべく電源オン信号を送信してオン状態にした後、上述したように、テレビ放送受信装置５にテレビ情報の送信要求を送信し、受信したテレビ情報に従ってデータ放送を受信するようになっている。これにより、定期検出フラグがオンになっている場合には、電源がオンされる度に、テレビ情報の送信要求を送信して該当テレビ放送受信装置５からテレビ情報を取得することが可能となっている。なお、通信処理Ａの詳細な動作について後述する。
【００３８】
次に、判別情報の登録操作があったか否か（ステップＳ１８）、現在時刻が更新されたか否か（ステップＳ２０）、定期検出フラグがオンであるか否か（ステップＳ２２）、データ放送視聴操作があったか否か（ステップＳ２４）、充電台から外されたことを検出されたか否か（ステップＳ２６）、テレビ情報を受信したか否か（ステップＳ２８）、電源オフ操作があったか否かを判断する（ステップＳ３０）。
【００３９】
まず、ステップＳ１８で、判別情報の登録操作があったと判断された場合には、図４に示す判別情報を登録するための判別情報登録処理を実行し（ステップＳ３２）、次のステップＳ２０へ進む。なお、判別情報登録処理の詳細については後述する。
【００４０】
一方、現在時刻が更新された場合には、更新された現在時刻が判別情報として登録されている時刻と一致したか否かを判断し（ステップＳ３４）、一致している場合には、通信処理Ｂを実行し（ステップＳ３６）、一致していない場合には、そのまま、次のステップＳ２２へ進む。
【００４１】
通信処理Ｂでは、現在時刻が判別情報の時刻に一致したテレビ放送受信装置５にテレビ情報の送信要求を送信し、受信したテレビ情報に従ってデータ放送を受信する一方、テレビ情報の送信要求を送信すべきテレビ放送受信装置５が通信可能でない場合には、電源オン信号を送信してテレビ放送受信装置５の電源を強制的にオンにした後、上述したように、テレビ放送受信装置５にテレビ情報の送信要求を送信し、受信したテレビ情報に従ってデータ放送を受信するようになっている。
【００４２】
但し、通信処理Ｂでは、テレビ情報の送信要求を送信した場合、その定期検出フラグをオフとする一方、通信可能なテレビ放送受信装置５の電源を強制的にオンにすべく電源オン信号を送信しても送信すべきテレビ放送受信装置５がない場合に、定期検出フラグをオンにする。つまり、現在時刻が判別情報の時刻に一致し、テレビ情報の送信要求を送信すべきタイミングであるにもかかわらず、該当テレビ放送受信装置５に送信できない場合には、定期検出フラグをオンにすることで、メインルーチンで定期的にテレビ情報の送信要求の送信が試みられることになる。なお、通信処理Ｂの詳細な動作について後述する。
【００４３】
また、ステップＳ２２で、定期検出フラグがオンと判断された場合には、上述した通信処理Ａを実行し（ステップＳ３８）、次のステップＳ２４へ進む。これにより、定期検出フラグがオンになっている場合には、定期的に、テレビ情報の送信要求を送信して該当テレビ放送受信装置５からテレビ情報を取得することが可能となっている。
【００４４】
また、ステップＳ２４で、データ放送視聴操作が行われたと判断された場合には、定期検出フラグがオンであるか否かを判断し（ステップＳ４０）、定期検出フラグがオンである場合には、上述した通信処理Ａを実行し（ステップＳ４２）、次のステップＳ２６へ進む。一方、定期検出フラグがオンでない場合には、通信処理Ａを実行することなく、そのままステップＳ２６へ進む。
【００４５】
また、ステップＳ２６で、充電台から外されたと判断された場合には、定期検出フラグがオンであるか否かを判断し（ステップＳ４６）、定期検出フラグがオンである場合には、上述した通信処理Ａを実行し（ステップＳ４８）、次のステップＳ２８へ進む。一方、充電台から外されても、定期検出フラグがオンでない場合には、通信処理Ａを実行することなく、そのままステップＳ２８へ進む。
【００４６】
また、ステップＳ２８で、テレビ放送受信装置５からテレビ情報を受信したと判断された場合には、後述するテレビ情報利用処理を実行し（ステップＳ５０）、その後、ステップＳ３０へ進む。テレビ情報利用処理では、受信したテレビ情報に従ってテレビ放送を受信して音声処理部６−４、表示部６−５から出力するようになっている。なお、テレビ情報利用処理の詳細な動作については後述する。
【００４７】
また、ステップＳ３０で、電源オフ操作があったと判断された場合には、電源をオフにする電源オフ処理を実行し（ステップＳ５２）、当該処理を終了する。
【００４８】
一方、上述した、ステップＳ１８〜Ｓ３０において、いずれもＮＯの場合には、ステップＳ１８へ戻り、上述した処理を繰り返す。
【００４９】
次に、図６は、上述した通信処理Ａを説明するためのフローチャートである。該通信処理Ａは、前述したように、定期検出フラグがオンの場合に実行される処理である。携帯通信端末６では、まず、定期検出フラグがオンになっている判別情報から、テレビ情報送信要求を送信すべきテレビ放送受信装置５のテレビＩＤを読み出し（ステップＳ６０）、通信可能なテレビ放送受信装置５のテレビＩＤを検出し（ステップＳ６２）、送信すべきテレビ放送受信装置５が通信可能であるか否かを判断する（ステップＳ６４）。
【００５０】
そして、送信すべきテレビ放送受信装置５が通信可能である場合には、該当テレビ放送受信装置５にテレビ情報の送信要求を送信する（ステップＳ６６）。次に、判別情報がテレビＩＤ以外（時刻）であるか否かを判断し（ステップＳ６８）、判別情報がテレビＩＤ以外である場合には、その定期検出フラグをオフにする（ステップＳ７０）。一方、判別情報がテレビＩＤ以外でない場合には、そのまま次のステップＳ７２に進む。次に、該当テレビ放送受信装置５からテレビ情報を受信したか否かを判断し（ステップＳ７２）、テレビ情報を受信した場合には、データ放送非表示信号を該当テレビ放送受信装置５に送信する（ステップＳ７４）。テレビ放送受信装置５では、上記データ放送非表示信号を受信すると、自装置でのデータ放送を非表示とする。
【００５１】
次に、受信したテレビ情報に従ってデータ放送を受信するテレビ情報利用処理を実行する（ステップＳ７６）。なお、該テレビ情報利用処理の詳細については後述する。その後、当該処理を終了して上述したメインルーチンに戻る。
【００５２】
一方、送信すべきテレビ放送受信装置５が通信可能でなかった場合には、赤外線通信送受信部５−２により、電源オン信号を送信する（ステップＳ７８）。このように、電源オン信号を送信することで、近傍に存在する場合には、テレビ放送受信装置５の電源がオフになっていても、強制的に電源をオン状態にして通信可能状態にする。次に、通信可能なテレビ放送受信装置５のテレビＩＤを検出し（ステップＳ８０）、送信すべきテレビ放送受信装置５が通信可能になったか否かを判断する（ステップＳ８２）。
【００５３】
そして、送信すべきテレビ放送受信装置５が通信可能になった場合には、上述したステップＳ６６以降へ進み、テレビ情報の送信要求の送信、テレビ情報の受信、データ放送非表示信号の送信、テレビ情報利用処理を実行する。一方、電源オン信号を送信しても、送信すべきテレビ放送受信装置５が通信可能にならない場合には、当該処理を終了して上述したメインルーチンに戻る。
【００５４】
次に、図７は、上述した判別情報登録処理を説明するためのフローチャートである。判別情報登録処理では、まず、判別情報の種類（時刻、テレビＩＤ）を表示し（ステップＳ１００）、携帯通信端末６のユーザ操作により時刻が選択されたか（ステップＳ１０２）、テレビＩＤが選択されたか否か（ステップＳ１１２）を判断する。そして、時刻が選択された場合には、操作部５−５により時刻情報を入力させる（ステップＳ１０４）。次に、赤外線通信送受信部５−２によりテレビＩＤを取得したか否かを判断し（ステップＳ１０６）、テレビＩＤを取得すると、時刻情報とテレビＩＤとを登録する（ステップＳ１０８）。なお、テレビＩＤは、携帯通信端末６をテレビ放送受信装置５に近接させて、赤外線通信送受信部６−２により通信することで取得する。次に、定期検出フラグをオフにし（ステップＳ１１０）、当該処理を終了して上述したメインルーチンに戻る。
【００５５】
一方、テレビＩＤが選択された場合には、赤外線通信送受信部５−２によりテレビＩＤを取得したか否かを判断し（ステップＳ１１４）、テレビＩＤを取得すると、該テレビＩＤを登録する（ステップＳ１１６）。テレビ放送受信装置次に、定期検出フラグをオンにし（ステップＳ１１８）、当該処理を終了して上述したメインルーチンに戻る。
【００５６】
次に、図８は、上述した通信処理Ｂを説明するためのフローチャートである。該通信処理Ｂは、前述したように、更新された時刻が登録されている時刻と一致したときに実行される処理である。携帯通信端末６では、まず、更新された時刻が登録されている時刻と一致した判別情報から、テレビ情報送信要求を送信すべきテレビ放送受信装置５のテレビＩＤを読み出し（ステップＳ１２０）、通信可能なテレビ放送受信装置５のテレビＩＤを検出し（ステップＳ１２２）、送信すべきテレビ放送受信装置５が通信可能であるか否かを判断する（ステップＳ１２４）。
【００５７】
そして、送信すべきテレビ放送受信装置５が通信可能である場合には、該当テレビ放送受信装置５にテレビ情報の送信要求を送信し（ステップＳ１２６）、判別情報の定期検出フラグをオフにする（ステップＳ１２８）。次に、該当テレビ放送受信装置５からテレビ情報を受信したか否かを判断し（ステップＳ１３０）、テレビ情報を受信した場合には、データ放送非表示信号を該当テレビ放送受信装置５に送信する（ステップＳ１３２）。テレビ放送受信装置５では、上記データ放送非表示信号を受信すると、自装置でのデータ放送を非表示とする。
【００５８】
次に、受信したテレビ情報に従ってデータ放送を受信するテレビ情報利用処理を実行する（ステップＳ１３４）。なお、該テレビ情報利用処理の詳細については後述する。その後、当該処理を終了して上述したメインルーチンに戻る。
【００５９】
一方、送信すべきテレビ放送受信装置５が通信可能でなかった場合には、赤外線通信送受信部５−２により、電源オン信号を送信する（ステップＳ１３６）。このように、電源オン信号を送信することで、近傍に存在する場合には、テレビ放送受信装置５の電源がオフになっていても、強制的に電源をオン状態にして通信可能状態にする。次に、通信可能なテレビ放送受信装置５のテレビＩＤを検出し（ステップＳ１３８）、送信すべきテレビ放送受信装置５が通信可能になったか否かを判断する（ステップＳ１４０）。
【００６０】
そして、送信すべきテレビ放送受信装置５が通信可能になった場合には、上述したステップＳ１２６以降へ進み、テレビ情報の送信要求の送信、定期検出フラグのオフ、テレビ情報の受信、データ放送非表示信号の送信、テレビ情報利用処理を実行する。一方、電源オン信号を送信しても、送信すべきテレビ放送受信装置５が通信可能にならない場合には、定期検出フラグをオンにし（ステップＳ１４２）、当該処理を終了して上述したメインルーチンに戻る。
【００６１】
次に、図９は、上述したテレビ情報利用処理を説明するためのフローチャートである。テレビ情報利用処理では、まず、受信したテレビ情報に従ってデータ放送を受信し（ステップＳ１５０）、受信したデータ放送を音声処理部６−４、表示部６−５から出力する（ステップＳ１５２）。次に、データ放送の終了操作があったか否かを判断し（ステップＳ１５４）、終了操作があると、データ放送の出力を終了し（ステップＳ１５６）、当該処理を終了し、メインルーチンに戻る。
【００６２】
次に、図１０は、上述したテレビ放送受信装置５の動作を説明するためのフローチャートである。テレビ放送受信装置５では、まず、電源オン操作があったか否かを判断し（ステップＳ１６０）、電源オン操作がない場合には、赤外線通信送受信部５−２により、携帯通信端末６から電源オン信号を受信したか否かを判断する（ステップＳ１６２）。そして、電源オン信号を受信していない場合には、ステップＳ１６０に戻る。
【００６３】
一方、電源オン操作があった場合、あるいは電源オン信号を受信した場合には、電源をオンにし（ステップＳ１６４）、テレビ放送受信部５−１により、テレビ放送の受信を開始し（ステップＳ１６６）、受信したテレビ放送を音声信号処理部５−３、表示部５−４に出力する（ステップＳ１６８）。次に、赤外線通信送受信部５−２により、携帯通信端末６からテレビ情報の送信要求を受信したか否かを判断し（ステップＳ１７０）、送信要求を受信した場合には、現在受信しているテレビ放送に関するテレビ情報を、赤外線通信送受信部５−２から送信する（ステップＳ１７２）。
【００６４】
次に、赤外線通信送受信部５−２により、携帯通信端末６からデータ放送非表示信号を受信したか否かを判断し（ステップＳ１７４）、データ放送非表示信号を受信した場合には、自装置におけるデータ放送を非表示とし（ステップＳ１７６）、当該処理を終了する。
【００６５】
Ｃ．変形例
次に、本実施形態の変形例について説明する。
Ｃ−１．第１変形例
まず、第１変形例では、携帯通信端末６において、テレビ放送受信装置５から受信したテレビ情報に基づいてネットワーク３上のデータ放送用サーバ４からデータを受信して出力することを特徴としている。なお、システム構成、テレビ放送受信装置５の構成、携帯通信端末６の構成については、上述した実施形態と同様であるので説明を省略する。
【００６６】
ここで、図１１は、本第１変形例による携帯通信端末６において、メインルーチン及び通信処理Ａでのテレビ情報利用処理の動作を説明するためのフローチャートである。なお、本第１変形例では、図５に示すステップＳ２４での処理を「データ出力操作？」に変更する。その他のフローチャートについては、上述した実施形態と同様であるので説明を省略する。
【００６７】
携帯通信端末６のメインルーチンにおいて、ステップＳ２４で、データ出力操作が行われた判断された場合には、定期検出フラグがオンであるか否かを判断し（ステップＳ４０）、定期検出フラグがオンである場合には、通信処理Ａを実行する（ステップＳ４２）。
【００６８】
通信処理Ａでは、前述したステップＳ６０〜Ｓ８２の処理を実行するが、ステップＳ７６におけるテレビ情報利用処理において、図１１に示すフローチャートに示す処理を実行する。テレビ情報利用処理では、まず、携帯無線通信送受信部６−１により、携帯無線通信網９を介してネットワーク３に接続してデータ放送用サーバ４にアクセスする（ステップＳ２００）。次に、テレビ放送受信装置５から受信したテレビ情報に基づいて、データ放送用サーバ４にデータ送信を要求し（ステップＳ２０２）、データを受信したか否かを判断する（ステップＳ２０４）。データ放送用サーバ４では、上記データ送信の要求を受信すると、上記テレビ情報に従ったデータを携帯通信端末６に送信する。
【００６９】
そして、携帯通信端末６において、データ放送用サーバ４からデータを受信した場合には、受信したデータを音声処理部６−４、表示部６−５から出力する（ステップＳ２０６）。次に、終了操作があったか否かを判断し（ステップＳ２０８）、終了操作があると、データ出力を終了し（ステップＳ２１０）、当該処理を終了して上述したメインルーチンに戻る。
なお、図５に示すステップＳ５０のテレビ情報利用処理も同様である。
【００７０】
Ｃ−２．第２変形例
次に、第２変形例では、携帯通信端末６において、テレビ放送受信装置５から受信したテレビ情報に基づいてネットワーク３上のデータ放送用サーバ４からデータを受信し、さらに、受信したデータに従ってネットワーク３上のｗｅｂ用サーバ１０にアクセスし、該ｗｅｂ用サーバ１０が提供するｗｅｂサイト情報を閲覧することを特徴としている。なお、システム構成、テレビ放送受信装置５の構成、携帯通信端末６の構成については、上述した実施形態と同様であるので説明を省略する。
【００７１】
ここで、図１２は、本第２変形例による携帯通信端末６において、メインルーチン及び通信処理Ａでのテレビ情報利用処理の動作を説明するためのフローチャートである。なお、本第２変形例では、図５に示すステップＳ２４での処理を「ｗｅｂブラウザ起動操作？」に変更する。その他のフローチャートについては、上述した実施形態と同様であるので説明を省略する。
【００７２】
携帯通信端末６のメインルーチンにおいて、ステップＳ２４で、ｗｅｂブラウザ起動操作が行われた判断された場合には、定期検出フラグがオンであるか否かを判断し（ステップＳ４０）、定期検出フラグがオンである場合には、通信処理Ａを実行する（ステップＳ４２）。
【００７３】
通信処理Ａでは、前述したステップＳ６０〜Ｓ８２の処理を実行するが、ステップＳ７６におけるテレビ情報利用処理において、図１２に示すフローチャートに示す処理を実行する。テレビ情報利用処理では、まず、携帯無線通信送受信部６−１により、携帯無線通信網９を介してネットワーク３に接続してデータ放送用サーバ４にアクセスする（ステップＳ２２０）。次に、テレビ放送受信装置５から受信したテレビ情報に基づいて、データ放送用サーバ４にデータ送信を要求し（ステップＳ２２２）、データを受信したか否かを判断する（ステップＳ２２４）。データ放送用サーバ４では、上記データ送信の要求を受信すると、上記テレビ情報に従ったデータを携帯通信端末６に送信する。
【００７４】
そして、携帯通信端末６において、データ放送用サーバ４からデータを受信した場合には、受信したデータ（ＵＲＬ）に従ってｗｅｂ用サーバ１０にアクセスし（ステップＳ２２６）、該ｗｅｂ用サーバ１０が提供するｗｅｂサイト情報を閲覧する（ステップＳ２２８）。次に、終了操作があったか否かを判断し（ステップＳ２３０）、終了操作があると、ｗｅｂサイト情報の閲覧を終了し（ステップＳ２３２）、当該処理を終了して上述したメインルーチンに戻る。
なお、図５に示すステップＳ５０のテレビ情報利用処理も同様である。
【００７５】
上述した実施形態の携帯通信端末６によれば、以下の効果が得られる。
本実施形態によれば、テレビ放送受信装置５から送信されたテレビ放送に関するテレビ情報を受信し、受信したテレビ情報をサービス提供装置４に送信し、該サービス提供装置４から送信されるデータを受信して提示するようにしたので、テレビ放送受信装置５で視聴しているテレビ放送に関するデータを携帯通信端末６で視聴することができる。
【００７６】
また、本実施形態によれば、テレビ放送受信装置５から送信されたテレビ放送に関するテレビ情報を受信し、受信したテレビ情報に基づいたテレビ放送のデータ放送を受信して提示するようにしたので、テレビ放送受信装置５で視聴しているテレビ放送に関するデータ放送を携帯通信端末６で視聴することができる。
【００７７】
また、本実施形態によれば、テレビ放送受信装置５との間で通信を開始するか否かを判別するための判別情報を記憶し、現在の状況と判別情報とに基づいて、テレビ放送受信装置５との間で通信を開始すると判別された際に、受信しているテレビ放送に関するテレビ情報の送信要求をテレビ放送受信装置５に送信し、送信要求に応じてテレビ放送受信装置５から送信されたテレビ情報を受信するようにしたので、適切なタイミングで、テレビ放送に関するテレビ情報をテレビ放送受信装置５から受信することができる。
【００７８】
さらに、本実施形態によれば、判別情報に対応付けてテレビ放送受信装置５のテレビＩＤをさらに記憶しておき、テレビ放送受信装置５との間で通信を開始すると判別された際に、テレビ情報の送信要求を上記判別情報と対応付けて記憶しているテレビＩＤが示すテレビ放送受信装置５に送信するようにしたので、適切なタイミングで、適切なテレビ放送受信装置５から、テレビ情報を受信することができる。
【００７９】
また、本実施形態によれば、判別情報として、テレビ放送受信装置との間で通信を開始する時刻を記憶し、現在時刻が記憶している時刻になると、テレビ放送受信装置５との間で通信を開始するようにしたので、ユーザが所望する時刻に、テレビ情報をテレビ放送受信装置５から受信することができる。
【００８０】
また、本実施形態によれば、判別情報として、テレビ放送受信装置５のテレビＩＤを記憶し、テレビＩＤが示すテレビ放送受信装置５が通信可能な位置に存在する場合、テレビ放送受信装置５との間で通信を開始するようにしたので、携帯通信端末６がテレビ放送受信装置５に接近するなどして通信が可能になった際に、テレビ情報をテレビ放送受信装置５から受信することができる。
【００８１】
また、本実施形態によれば、テレビ放送受信装置５との間で通信を開始すると判別された際に、通信すべきテレビ放送受信装置５が検出できない場合に、テレビ放送受信装置５の電源をオンする制御信号を送信して電源オン状態とするようにしたので、テレビ放送受信装置５の電源がオフになっている場合でも、電源をオンにしてテレビ情報を受信することができる。
【００８２】
また、本実施形態によれば、テレビ放送受信装置５との間で通信を開始すると判別された際に、送信要求を送信すべきテレビ放送受信装置５が通信可能な位置に存在しないなどの理由により、テレビ放送受信装置５が検出されない場合、テレビ放送受信装置５が通信可能な位置に存在するか否かを定期的に検出し、該定期的な検出により携帯通信端末６が検出された場合に、送信要求をテレビ放送受信装置５に送信するようにしたので、テレビ放送受信装置５が通信可能でない場合には、通信可能になってから、テレビ情報を受信することができる。
【００８３】
また、本実施形態によれば、テレビ放送受信装置５からテレビ情報を受信した際に、テレビ放送受信装置５のデータ放送の提示を停止する制御信号を送信し、テレビ放送受信装置５のデータ放送の提示を停止するようにしたので、データ放送が不要な視聴者のテレビ視聴を快適にすることができる。
【００８４】
また、本実施形態によれば、テレビ放送受信装置５が通信可能な位置に存在するか否かを検出し、テレビ放送受信装置５が検出された場合には、送信要求をテレビ放送受信装置５に送信し、送信要求に応じてテレビ放送受信装置５から送信されたテレビ情報を受信するようにしたので、携帯通信端末６がテレビ放送受信装置５に接近するなどして通信が可能になった際に、テレビ情報をテレビ放送受信装置５から受信することができる。
【００８５】
また、本実施形態によれば、データ出力機能の動作が開始された際に、テレビ放送受信装置５が通信可能な位置に存在するか否かを検出するようにしたので、データ出力機能を起動するだけで、（通信可能なテレビ放送受信装置５があれば）テレビ情報をテレビ放送受信装置５から受信することができる。
【００８６】
また、本実施形態によれば、データ放送視聴機能の動作が開始された際に、テレビ放送受信装置５が通信可能な位置に存在するか否かを検出するようにしたので、データ放送視聴機能を起動するだけで、（通信可能なテレビ放送受信装置５があれば）テレビ情報をテレビ放送受信装置５から受信することができる。
【００８７】
また、本実施形態によれば、充電台から外された際に、テレビ放送受信装置５が通信可能な位置に存在するか否かを検出するようにしたので、携帯通信端末６を充電台から外すだけで、（通信可能なテレビ放送受信装置５があれば）テレビ情報をテレビ放送受信装置５から受信することができる。
【００８８】
また、本実施形態によれば、自身の電源がオンされた際に、テレビ放送受信装置５が通信可能な位置に存在するか否かを検出するようにしたので、携帯通信端末６の電源をオンするだけで、（通信可能なテレビ放送受信装置５があれば）テレビ情報をテレビ放送受信装置５から受信することができる。
【００８９】
なお、上述した実施形態では、テレビ放送として、地上波デジタル放送について説明したが、地上波デジタル放送に限らず、テレビ放送であればよい。また、テレビ情報は、放送信号に重畳されていなくても、放送信号と別々に送信されるものでもよい。また、テレビ放送受信装置５と携帯通信端末６との間の通信は、赤外線通信に限らず、Ｂｌｕｅｔｏｏｔｈなど他の直接通信でもよいし、無線ＬＡＮなどの中継局を介した通信でもよい。
【図面の簡単な説明】
【００９０】
【図１】本発明の実施形態によるテレビ放送受信装置および携帯通信端末からなるシステム構成を示すブロック図である。
【図２】本実施形態によるテレビ放送受信装置５の構成を示すブロック図である。
【図３】本実施形態による携帯通信端末６の構成を示すブロック図である。
【図４】テレビ放送受信装置５のＲＡＭ５−８に設けられた判別情報格納部５−８−１に記憶されている判別情報を示す概念図である。
【図５】テレビ放送受信装置５のＲＡＭ５−８に設けられた録画データ格納部５−８−２に記憶される録画データを示す概念図である。
【図６】本実施形態によるテレビ放送受信装置５の動作を説明するための（メイン）フローチャートである。
【図７】判別情報登録処理を説明するためのフローチャートである。
【図８】通信処理Ａを説明するためのフローチャートである。
【図９】通信処理Ｂを説明するためのフローチャートである。
【図１０】再生＆通信処理を説明するためのフローチャートである。
【図１１】携帯通信端末の動作を説明するための（メイン）フローチャートである。
【図１２】テレビ情報利用処理を説明するためのフローチャートである。
【符号の説明】
【００９１】
１  テレビ局
２  送信局
３  ネットワーク
４  データ放送用サーバ
５  テレビ放送受信装置
６  携帯通信端末
７  基地局
８  交換機
９  携帯無線通信網
１０  ｗｅｂ用サーバ
５−１  テレビ放送受信部
５−２  赤外線通信送受信部
５−３  音声信号処理部
５−４  表示部
５−５  操作部
５−６  ＲＴＣ
５−７  ＲＯＭ
５−８  ＲＡＭ
５−９  中央制御部
６−１  携帯無線送受信部
６−２  テレビ放送受信部
６−３  赤外線通信送受信部
６−４  音声信号処理部
６−５  表示部
６−６  操作部
６−７  ＲＴＣ
６−８  ＲＯＭ
６−９  ＲＡＭ
６−９−１  判別情報格納部
６−１０  充電台接続部
６−１１  中央制御部
【図１】
2008035057.tif 000003
【図２】
2008035057.tif 000004
【図３】
2008035057.tif 000005
【図４】
2008035057.tif 000006
【図５】
2008035057.tif 000007
【図６】
2008035057.tif 000008
【図７】
2008035057.tif 000009
【図８】
2008035057.tif 000010
【図９】
2008035057.tif 000011
【図１０】
2008035057.tif 000012
【図１１】
2008035057.tif 000013
【図１２】
2008035057.tif 000014